(57)【特許請求の範囲】
【請求項１】
装置本体と、
搬送された用紙に画像を形成する画像形成部と、
前記装置本体に下端部が回動可能に支持されて配置され、前記用紙を搬送する用紙搬送路の一部を構成する搬送ユニットと、
前記装置本体に対して下端部が回動可能に支持されて開閉可能に配置され、前記装置本体に対する閉状態で前記搬送ユニットを押圧するカバーと、
前記カバーの内面に設けられた一対の係止部と、
前記カバーの前記内面に設けられた押圧部と
を備え、
前記一対の係止部は、前記装置本体に対する前記カバーの閉状態で前記装置本体に係止し、
前記押圧部は、前記装置本体に対する前記カバーの閉状態で前記搬送ユニットを押圧する押圧領域を有し、
前記内面に対する平面視で、前記押圧領域は前記一対の係止部の各位置を通る仮想直線と重なり、
前記押圧部は、前記係止部に近接して設けられる、画像形成装置。
【請求項２】
前記押圧領域の中心位置は、前記仮想直線上に配置される、請求項１に記載の画像形成装置。
【請求項３】
前記装置本体には、前記カバーの開閉を検知するためのインターロックスイッチが配置され、
前記カバーの前記内面には、前記装置本体に対する前記カバーの閉状態で、前記インターロックスイッチを押圧する突起部が設けられ、
前記内面での前記突起部の占有領域は、前記内面に対する平面視で、前記仮想直線と重なる、請求項１又は請求項２に記載の画像形成装置。
【請求項４】
前記突起部は、前記係止部に近接して設けられる、請求項３に記載の画像形成装置。
【請求項５】
前記搬送ユニットは、
前記画像形成部に対向して前記用紙搬送路を形成する一方の主面と、
前記用紙の表裏を反転させるための反転搬送路を前記一方の主面との反対側に形成する他方の主面と
を含み、
前記カバーの内面は、前記他方の主面と対向して前記反転搬送路を形成する搬送ガイド領域を有する、請求項１から請求項４のいずれか１項に記載の画像形成装置。
【発明の詳細な説明】
【技術分野】
【０００１】
本発明は、記録媒体（例えば用紙）に画像を形成する画像形成装置に関する。
【背景技術】
【０００２】
従来の画像形成装置では、カバーが装置本体に対して開閉可能に配置されると共に、カバーの内側に搬送ユニットが配置される（例えば特許文献１）。このような従来の画像形成装置では、カバーの内面の左右両側にそれぞれ、係止部と押圧部とが設けられる。係止部は、カバーを装置本体に位置決めして係止する。押圧部は、装置本体に対するカバーの閉状態で、搬送ユニットを装置本体に押圧して固定する。カバーは、係止部を介して装置本体から引っ張られる引張力を受けると共に、押圧部を介して搬送ユニットから押される押力を受ける。
【先行技術文献】
【特許文献】
【０００３】
【特許文献１】特開平８−２０２０９５号公報
【発明の概要】
【発明が解決しようとする課題】
【０００４】
しかしながら、このような従来の画像形成装置では、押圧部は、左右両側の係止部の各位置を通る仮想直線に重ならないため、カバーの左右側から見た状態で、上述の引張力及び押力の各作用線の間隔が大きくなり、それら各力による力のモーメントが大きくなる。この結果、カバーに歪みが発生し、カバーと装置本体との間の嵌合性が低下していた。
【０００５】
本発明は上記課題に鑑みてなされたものであり、その目的は、装置本体に対するカバーの閉状態で、カバーが装置本体及び搬送ユニットから受ける力によってカバーが歪むことを抑制する画像形成装置を提供することにある。
【課題を解決するための手段】
【０００６】
本発明に係る画像形成装置は、装置本体と、画像形成部と、搬送ユニットと、カバーと、一対の係止部と、押圧部とを備える。前記画像形成部は、搬送された用紙に画像を形成する。前記搬送ユニットは、前記装置本体に配置され、前記用紙を搬送する用紙搬送路の一部を構成する。前記カバーは、前記装置本体に対して開閉可能に配置され、前記装置本体に対する閉状態で前記搬送ユニットを押圧する。前記係止部は、前記カバーの内面に設けられる。前記押圧部は、前記カバーの内面に設けられる。前記一対の係止部は、前記装置本体に対する前記カバーの閉状態で前記装置本体に係止する。前記押圧部は、前記装置本体に対する前記カバーの閉状態で前記搬送ユニットを押圧する押圧領域を有する。前記内面に対する平面視で、前記押圧領域は前記一対の係止部の各位置を通る仮想直線と重なる。
【発明の効果】
【０００７】
本発明によれば、装置本体に対するカバーの閉状態で、カバーが装置本体及び搬送ユニットから受ける力によってカバーが歪むことを抑制できる。
【図面の簡単な説明】
【０００８】
【図１】本発明の実施形態に係る画像形成装置の断面を模式的に示した断面図である。
【図２】筐体に対するカバーの開状態を示した斜視図である。
【図３】搬送ユニットが配置されたカバーの斜視図である。
【図４】搬送ユニットが配置されたカバーの平面図である。
【図５】カバー単体の内面側を示した斜視図である。
【図６】カバーの内面に設けられた係止部を示した側面図である。
【図７】カバーの内面に設けられた係止部を示した斜視図である。
【図８】カバーの内面に設けられた突起部を示した断面図である。
【図９】搬送ユニット単体の斜視図である。
【図１０】図９の矢印Ｙ７方向から被押圧部を見た側面図である。
【図１１】カバーの右側の押圧部と搬送ユニットの同側の被押圧部とが当接した状態を示した斜視図である。
【図１２】カバーの左側の押圧部と搬送ユニットの同側の被押圧部とが当接した状態を示した斜視図である。
【発明を実施するための形態】
【０００９】
以下、本発明の実施形態について、図面を参照しながら説明する。なお、図中、同一又は相当部分については同一の参照符号を付して説明を繰り返さない。
＜構成説明＞
図１及び図２を参照して、本実施形態に係る画像形成装置について説明する。図１は、本発明の実施形態に係る画像形成装置の断面を模式的に示した断面図であり、図２は、筐体に対するカバーの開状態を示した斜視図である。図２では、作図の都合上、筐体の外面に装着される外装パネルは省略されている。
【００１０】
図１に示すように、本実施形態に係る画像形成装置１は、用紙Ｐ上に画像を形成する装置であって、筐体（装置本体）３と、画像形成部５と、定着部７と、給紙カセット９と、排紙トレイ１１とを備える。給紙カセット９は、筐体３の下部に配置され、画像形成部５は、筐体３内における給紙カセット９の上側に配置される。排紙トレイ１１は、画像形成部５の上側であって筐体３の上部の側面開放の胴内空間に配置され、定着部７は、筐体３内における画像形成部５の横側に配置される。
【００１１】
図２に示すように、筐体３は、底面矩形の箱状に形成されており、周壁として４つの側壁３１，３２，３３，３４を有する。本実施形態では、説明の便宜上、側壁３１を前壁とし、前壁の反対側の側壁３２を後壁とし、側壁３３を右壁とし、側壁３４を左壁とする。以後、前壁３１、後壁３２、右壁３３、左壁３４とも記載する。
【００１２】
なお、本実施形態では、図２に示すように、画像形成装置１に対して、前壁３１側を前側とし、後壁３２側を後側とし、右壁３３側を右側とし、左壁３４側を左側とする。この前後左右の設定の下では、定着部７は、画像形成部５の後側に配置される。
【００１３】
画像形成部５は、給紙カセット９から供給された用紙Ｐにトナー像を形成する。画像形成部５は、画像形成ユニット５１と、中間転写ベルト５２と、二次転写ローラー５３とを備える。
【００１４】
中間転写ベルト５２は、無端ベルト状である。中間転写ベルト５２は、駆動ローラー５２ａと従動ローラー５２ｂとによって張架されて支持され、駆動ローラー５２ａの回転駆動によって周回移動される。
【００１５】
画像形成ユニット５１は、複数色（例えばシアン、マゼンタ、イエロー、ブラック）のトナーに対応してそれぞれ配置される。各画像形成ユニット５１は、中間転写ベルト５２の表面に各色のトナー像を形成する。各画像形成ユニット５１はそれぞれ、感光体ドラム５１ａと、帯電装置５１ｂと、露光装置５１ｃと、現像装置５１ｄと、トナーコンテナ５１ｅと、一次転写ローラー５１ｆと、クリーニング装置５１ｇとを備える。
【００１６】
感光体ドラム５１ａは、その表面に感光層を有する。帯電装置５１ｂは、感光体ドラム５１ａの表面を所定電位に均一に帯電させる。露光装置５１ｃは、画像情報に基づいて、帯電された感光体ドラム５１ａの表面にレーザー光を照射し、当該表面に画像情報に対応する静電潜像を形成する。トナーコンテナ５１ｅは、対応する色のトナーを現像装置５１ｄに供給する。現像装置５１ｄは、感光体ドラム５１ａの表面に形成された静電潜像をトナー像として現像する。
【００１７】
一次転写ローラー５１ｆは、感光体ドラム５１ａの表面のトナー像を中間転写ベルト５２の表面に転写させる。一次転写ローラー５１ｆは、中間転写ベルト５２を介して感光体ドラム５１ａを押圧するように、支持される。一次転写ローラー５１ｆの表面には、一次転写電圧が印加されている。これにより、感光体ドラム５１ａの表面のトナー像が中間転写ベルト５２に押し付けられたときに、一次転写ローラー５１ｆの静電引力によって、感光体ドラム５１ａの表面のトナー像が中間転写ベルト５２に転写される。クリーニング装置５１ｇは、転写後の感光体ドラム５１ａの表面の残留トナーを除去する。
【００１８】
このように、各色に対応した画像形成ユニット５１は、周回移動する中間転写ベルト５２の表面に、各色のトナー像を形成する。各色のトナー像は重ねられている。これにより、中間転写ベルト５２の表面にカラーのトナー像が形成される。このカラーのトナー像は、中間転写ベルト５２の周回移動によって二次転写ローラー５３に搬送される。
【００１９】
二次転写ローラー５３は、中間転写ベルト５２の表面のカラーのトナー像を用紙Ｐに転写する。二次転写ローラー５３は、中間転写ベルト５２を介して駆動ローラー５２ａを押圧するように、支持される。二次転写ローラー５３には、二次転写電圧が印加されている。中間転写ベルト５２上のカラーのトナー像が駆動ローラー５２ａと二次転写ローラー５３との間の圧接領域（二次転写ニップ領域）を通過するタイミングに合わせて、用紙Ｐが二次転写ニップ領域を通過すると、二次転写ローラー５３に印加された二次転写電圧によって、中間転写ベルト５２上のカラーのトナー像が用紙Ｐに転写される。
【００２０】
定着部７は、用紙Ｐに転写されたトナー像を定着させる。定着部７は、加圧ローラー７ａと定着ローラー７ｂとを備える。定着ローラー７ｂは、用紙Ｐを加熱する発熱源を有する。加圧ローラー７ａと定着ローラー７ｂとは、互いに圧接される。トナー像を転写された用紙Ｐが加圧ローラー７ａと定着ローラー７ｂとの間の圧接領域（定着ニップ領域）を通過すると、定着ローラー７ｂによる加熱によってトナー像が用紙Ｐに定着される。このように、画像形成部５は、用紙Ｐにトナー像を形成する。
【００２１】
給紙カセット９は、複数枚の用紙Ｐを積載収容する。給紙カセット９内の用紙Ｐは、用紙搬送路Ｌ１を通って、二次転写ニップ領域及び定着ニップ領域を順に経由して、排紙トレイ１１に排出される。
【００２２】
用紙搬送路Ｌ１は、給紙カセット９から、筐体３の後壁３２の内側を上方に向かって、二次転写ニップ領域及び定着ニップ領域を順に経由して排紙トレイ１１に至るように形成される。
【００２３】
筐体３には、給紙カセット９の付近に、ピックアップローラー１３が配置される。また、用紙搬送路Ｌ１には、その用紙搬送方向の上流側から順に、給紙ローラー対１５と、搬送ローラー対１７と、レジストローラー対１９とが配置される。給紙ローラー対１５と搬送ローラー対１７とレジストローラー対１９は、ピックアップローラー１３と二次転写ローラー５３との間に配置される。
【００２４】
ピックアップローラー１３は、給紙カセット９内の複数枚の用紙Ｐを上から順に１枚ずつ取り出す。給紙ローラー対１５は、ピックアップローラー１３が用紙Ｐを複数枚取り出した場合に、当該複数枚のうちの一番上の用紙Ｐだけを搬送ローラー対１７に搬送し、残りを給紙カセット９に戻す。搬送ローラー対１７は、給紙ローラー対１５からの用紙Ｐをレジストローラー対１９に搬送する。レジストローラー対１９は、搬送ローラー対１７からの用紙Ｐを、駆動ローラー５２ａと二次転写ローラー５３との間の二次転写ニップ領域に送り込むタイミングを制御する。
【００２５】
なお、給紙ローラー対１５は、給紙ローラー１５ａとリタードローラー１５ｂとから構成される。搬送ローラー対１７は、搬送ローラー１７ａと中間ローラー１７ｂとから構成される。レジストローラー対１９は、レジストローラー１９ａとレジスト従動ローラー１９ｂとから構成される。
【００２６】
また、筐体３には、用紙Ｐの表裏を反転させるための反転搬送路（用紙搬送路）Ｌ２が設けられている。反転搬送路Ｌ２は、図１に示すように、用紙搬送路Ｌ１における定着部７の搬送方向下流側の分岐点Ｂから分岐して、用紙搬送路Ｌ１と後壁３２との間を通って、用紙搬送路Ｌ１における搬送ローラー対１７の搬送方向上流側の合流点Ｇ１に合流する。反転搬送路Ｌ２には、複数（例えば４個）の搬送ローラー対４０，４１，４２，４３が互いに間隔を空けて配置される。
【００２７】
定着部７を通過した用紙Ｐは、後進されて分岐点Ｂから反転搬送路Ｌ２に搬入され、反転搬送路Ｌ２を通って合流点Ｇ１から用紙搬送路Ｌ１に戻されると、表裏が反転されている。そして、裏表反転された用紙Ｐは、用紙搬送路Ｌ１に沿って搬送されて、上述同様に、その裏面に画像が形成される。
【００２８】
また、画像形成装置１は、カバー２３と、搬送ユニット２５とを備える。まず，図１〜図５を参照してカバー２３について説明する。図３は、搬送ユニットが配置されたカバーの斜視図であり、図４は、搬送ユニットが配置されたカバーの平面図であり、図５は、カバー単体の内面側を示した斜視図である。
【００２９】
図１及び図２に示すように、カバー２３は、筐体３の一側壁（本実施形態では後壁３２）に対して開閉可能に配置される。詳しくは、後壁３２には、開口部３２ａが設けられている。開口部３２ａは、例えば、矩形形状に形成されると共に後壁３２における反転搬送路Ｌ２を覆う範囲に形成される。カバー２３は、後壁３２の開口部３２ａを開閉可能に筐体３に配置される。カバー２３は、その開状態では、後壁３２の開口部３２ａを開放して筐体３の内部（定着部７及び搬送ユニット２５など）を外部に露出させ、その閉状態では、開口部３２ａを閉塞して後壁３２の一部を構成する。
【００３０】
カバー２３の下端部の左右両側には、回動軸部２３ａが設けられる（図３〜図５）。回動軸部２３ａは、筐体３に回動可能に支持される。回動軸部２３ａを支点として、カバー２３の上端部側が後側（図１の矢印Ｙ１方向）に回動されると、カバー２３が筐体３に対して開状態になり、この開状態から前側（図１の矢印Ｙ２方向）に回動されると、カバー２３は筐体３に対して閉状態になる。
【００３１】
カバー２３の内面２３ｂは、搬送ガイド領域２３ｃを有する。搬送ガイド領域２３ｃは、反転搬送路Ｌ２の搬送ガイドの一部を構成し、筐体３に対するカバー２３の閉状態で、反転搬送路Ｌ２に対向配置して反転搬送路Ｌ２の搬送ガイドとして機能する。
【００３２】
また、図１に示すように、カバー２３の内面２３ｂの搬送ガイド領域２３ｃには、搬送ローラー対４０，４１，４２，４３を構成する一方の搬送ローラー４０ａ，４１ａ，４２ａ，４３ａが配置される。なお、搬送ローラー対４０，４１，４２を構成する他方の搬送ローラー４０ｂ，４１ｂ，４２ｂは、搬送ユニット２５の対向面２５ｂに配置され、搬送ローラー対４３を構成する他方の搬送ローラー４３ｂは、筐体３に配置される。
【００３３】
続いて、図１〜図３を参照して搬送ユニット２５について説明する。図１に示すように、搬送ユニット２５は、用紙搬送路Ｌ１と反転搬送路Ｌ２との間に配置される。また、搬送ユニット２５は、筐体３に対して開閉可能に配置される。本実施形態では、図１及び図２に示すように、搬送ユニット２５は、カバー２３の内面２３ｂに配置されており、カバー２３の開閉に伴って、筐体３に対して開閉される。
【００３４】
搬送ユニット２５は、例えば扁平な直方体状の箱状に形成される（図９参照）。搬送ユニット２５のうち、一方の主面２５ａは、用紙搬送路Ｌ１の一部と対向し、他方の主面２５ｂは、反転搬送路Ｌ２の一部と対向する。以後、主面２５ａ，２５ｂをそれぞれ対向面２５ａ，２５ｂと記載する。
【００３５】
対向面２５ａは、用紙搬送路Ｌ１に沿って湾曲されており、用紙搬送路Ｌ１の搬送ガイドの一部を構成する。また、対向面２５ａには、搬送ローラー１７ａとレジストローラー１９ａと二次転写ローラー５３とが配置される。搬送ローラー１７ａとレジストローラー１９ａと二次転写ローラー５３との各々の対である中間ローラー１７ｂとレジスト従動ローラー１９ｂと駆動ローラー５２ａは、筐体３に配置される。対向面２５ｂは、反転搬送路Ｌ２に沿って湾曲されており、反転搬送路Ｌ２の搬送ガイドの一部を構成する。
【００３６】
搬送ユニット２５は、カバー２３の内面２３ｂに対して、開閉可能に配置される。詳しくは、図３に示すように、搬送ユニット２５の左右の側面２５ｆにおける長手方向の下端側には、回動軸部２５ｃが設けられる。回動軸部２５ｃは、左右方向外側に突出されており、カバー２３の内面２３ｂにおける搬送ガイド領域２３ｃの左右両側において、回動可能に支持される。回動軸部２５ｃを支点として、搬送ユニット２５の上端部２５ｅがカバー２３の内面２３ｂから離間する方向（図３の矢印Ｙ５方向）に回動されると、搬送ユニット２５はカバー２３に対して開かれる。また、搬送ユニット２５の上端部２５ｅがカバー２３の内面２３ｂに接近する方向（図３の矢印Ｙ６方向）に回動されると、搬送ユニット２５はカバー２３に対して閉じられる。
【００３７】
図２に示すように、筐体３には、被係止部２７が設けられる。被係止部２７は、カバー２３の係止部２３ｄと着脱自在に係止される。被係止部２７は、例えば円柱状のボス部として形成され、左右の側壁３４，３３の内面３４ａ，３３ａにおける開口部３２ａの付近に突設される。
【００３８】
また、筐体３には、インターロックスイッチ２９が配置される。詳しくは、図２に示すように、筐体３における開口部３２ａの周縁には、カバー２３の突起部２３ｉが挿入可能な穴部３０が設けられている。そして、図８に示すように、インターロックスイッチ２９は、穴部３０の内部に配置される。
【００３９】
なお、インターロックスイッチ２９は、カバー２３の開閉状態を検知するためのスイッチである。インターロックスイッチ２９は、例えば、自立復帰型の押しボタンスイッチであり、押下されるとオン状態に切り替わり、押下が解除されると、オフ状態に切り替わる。インターロックスイッチ２９のオンオフ状態が所定の検知回路によって検知されることで、カバー２３の開閉状態が検知される。
【００４０】
以下、カバー２３の詳細について説明する。図５に示すように、カバー２３の内面２３ｂには、一対（即ち２個）の係止部２３ｄが設けられる。以下、図５〜図７を参照して、係止部２３ｄについて説明する。図６は、カバーの内面に設けられた係止部を示した側面図であり、図７は、カバーの内面に設けられた係止部を示した斜視図である。
【００４１】
各係止部２３ｄは、筐体３の被係止部２７に着脱自在に係止され、カバー２３を筐体３の所定位置に位置決めして固定する（図６参照）。図５に示すように、各係止部２３ｄは、カバー２３の内面２３ｂにおいて、搬送ガイド領域２３ｃの左右両側に配置される。この結果、各係止部２３ｄは、互いに離間して設けられる。また、各係止部２３ｄは、内面２３ｂの縦方向（長手方向）の所定位置（例えば中央）に配置される。
【００４２】
一対の係止部２３ｄの各位置を通る仮想直線Ｋ１は、カバー２３の左右方向に伸びている。また、仮想直線Ｋ１は、左右両側の回動軸部２３ａの回動軸線Ｋ２と平行になっている。なお、係止部２３ｄの位置は、内面２３ｂでの係止部２３ｄの占有領域内の所定位置（例えば中心位置）である。
【００４３】
なお、係止部２３ｄが筐体３の被係止部２７に係止された状態では、カバー２３は、係止部２３ｄを介して筐体３から引っ張られる引張力を受ける。この引張力は、近似的に係止部２３ｄの位置（例えば占有領域内の中心位置）に作用すると見なせる。つまり、仮想直線Ｋ１は、各係止部２３ｄに作用する引張力の作用点を通る直線である。
【００４４】
図６及び図７に示すように、係止部２３ｄは、例えば細長矩形の板状に形成される。係止部２３ｄは、その長手方向の一端面２３ｅが先端面（以後、先端面２３ｅと記載する）になっており、その両側の主面２３ｈが左右方向を向くように、内面２３ｂに立設される。係止部２３ｄは、先端面２３ｅの長手方向の一方側（例えば上側）に側面２３ｆを有する（以後、一方側面２３ｆと記載する）。一方側面２３ｆには、凹部２３ｇが形成される。凹部２３ｇは、筐体３の被係止部２７が係止する部分である。凹部２３ｇは、係止部２３ｄの両側の主面２３ｈで開放される。先端面２３ｅは、一方側面２３ｆ側に傾斜している。
【００４５】
この傾斜により、図６の矢印Ｙ２方向にカバー２３が閉じられると、先端面２３ｅが被係止部２７に押し付けられることで、係止部２３ｄの先端側が被係止部２７の下側に弾性変形して潜り込まされ、被係止部２７が凹部２３ｇに嵌る。被係止部２７が凹部２３ｇに嵌ることで、係止部２３ｄは被係止部２７に係止する。図６の矢印Ｙ１方向にカバー２３が開かれると、被係止部２７が凹部２３ｇから外れて、係止部２３ｄと被係止部２７との係止が解除される。
【００４６】
図５及び図７に示すように、カバー２３の内面２３ｂには、押圧部２３ｋが設けられる。押圧部２３ｋは、筐体３に対するカバー２３の閉状態で、搬送ユニット２５の被押圧部２５ｄを押圧する部位である。押圧部２３ｋは、適宜広さの面（例えば平坦面）として形成される。具体的には、押圧部２３ｋは、内面２３ｂの縦方向に沿って細長く形成される。
【００４７】
押圧部２３ｋは、被押圧部２５ｄを押圧したときに被押圧部２５ｄと接触する領域（以後、押圧領域と記載する）２３ｊを有する。押圧領域２３ｊの大きさ及び位置は、被押圧部２５ｄの形状に応じて決まる。押圧部２３ｋは、内面２３ｂに対する平面視で、押圧領域２３ｊが仮想直線Ｋ１と重なるように配置される（図５参照）。また、押圧部２３ｋは、搬送ガイド領域２３ｃの左右両側に配置される。具体的には、押圧部２３ｋは、一例として、係止部２３ｄの内側に近接して配置される。
【００４８】
図３に示すように、カバー２３の内面２３ｂには、インターロック用の突起部２３ｉが設けられる。以下、図３及び図８を参照して、突起部２３ｉについて説明する。図８は、カバーの内面に設けられた突起部を示した断面図である。
【００４９】
突起部２３ｉは、筐体３のインターロックスイッチ２９を押圧（即ち押下）してオフとオンとの切り替えを行なうものである。突起部２３ｉは、例えば板状に形成される。突起部２３ｉは、その長手方向の一端が先端となり、その両側の主面２３ｍが左右方向を向くように、内面２３ｂに立設される。突起部２３ｉの先端は、主面２３ｍに対する平面視で、山状に形成される。突起部２３ｉは、仮想直線Ｋ１に重なり且つ搬送ガイド領域２３ｃの隣に配置するように、内面２３ｂに設けられる。本実施形態では、突起部２３ｉは、一方側（例えば右側）の係止部２３ｄの外側に近接して設けられる。なお、突起部２３ｉが仮想直線Ｋ１と重なるとは、内面２３ｂに対する平面視で、仮想直線Ｋ１と、内面２３ｂにおける突起部２３ｉの占有領域とが重なることである。
【００５０】
次に図９〜図１２を参照して搬送ユニット２５の詳細について説明する。図９は、搬送ユニット単体の斜視図であり、図１０は、図９の矢印Ｙ７方向から被押圧部を見た側面図であり、図１１は、カバーの右側の押圧部と搬送ユニットの同側の被押圧部とが当接した状態を示した斜視図であり、図１２は、カバーの左側の押圧部と搬送ユニットの同側の被押圧部とが当接した状態を示した斜視図である。
【００５１】
図９に示すように、搬送ユニット２５には、被押圧部２５ｄが設けられる。被押圧部２５ｄは、筐体３に対するカバー２３の閉状態で、カバー２３の押圧部２３ｋによって押圧される部位である。被押圧部２５ｄは、押圧部２３ｋの個数と同数（例えば２個）設けられる。被押圧部２５ｄは、筐体３に対するカバー２３の閉状態で、押圧部２３ｋに対向する位置に設けられる。具体的には、被押圧部２５ｄは、搬送ユニット２５において、対向面２５ｂの左右両側で且つ上端部２５ｅ側に設けられる。
【００５２】
図１０に示すように、被押圧部２５ｄは、例えば平面視半円形の板状に形成されている。被押圧部２５ｄは、その半円２５ｇ側が搬送ユニット２５の対向面２５ｂ側に向けられ、その両側の主面２５ｈが左右方向を向くように、搬送ユニット２５に設けられる。この形状の被押圧部２５ｄでは、押圧部２３ｋが被押圧部２５ｄを押圧したとき、半円２５ｇの円弧中央２５ｉが押圧部２３ｋと当接する。押圧部２３ｋ側のこの当接領域が押圧部２３ｋの押圧領域２３ｊとなる。なお、本実施形態では、被押圧部２５ｄのうち円弧中央２５ｉ付近だけが押圧部２３ｋと当接するので、押圧部２３ｋの押圧領域２３ｊは比較的小さくなる。
【００５３】
カバー２３に対する搬送ユニット２５の閉状態では、図１１及び図１２に示すように、カバー２３の各押圧部２３ｋと各被押圧部２５ｄとが当接し、カバー２３の搬送ガイド領域２３ｃと搬送ユニット２５の対向面２５ｂとが所定間隔を空けて対向配置する。また、カバー２３に対する搬送ユニット２５の開状態では、カバー２３の各押圧部２３ｋと各被押圧部２５ｄとが離間し、カバー２３の搬送ガイド領域２３ｃ及び搬送ユニット２５の対向面２５ｂが外部に露出される。
【００５４】
＜動作説明＞
次に図２，図６，図８,図１１及び図１２を参照して、カバー２３の筐体３に対する動作について説明する。
【００５５】
図２の状態では、カバー２３は筐体３に対して開けられており、搬送ユニット２５はカバー２３に対して閉じられている。この状態からカバー２３を閉じる場合は、図２の矢印Ｙ２方向に、手動でカバー２３を回動させ、カバー２３によって後壁３２の開口部３２ａを完全に閉塞させる。このようにして、カバー２３は筐体３に対して閉じられる。
【００５６】
この閉状態（筐体３に対するカバー２３の閉状態）では、図６の一点鎖線の状態で示されるように、カバー２３の各係止部２３ｄは、筐体３の各被係止部２７に係止する。これにより、カバー２３は、筐体３の所定位置に位置決めされた状態で、筐体３に対して閉じられる。この結果、搬送ユニット２５は、筐体３の所定位置に位置決めされて固定される。
【００５７】
また、この閉状態では、図１１及び図１２に示すように、カバー２３の各押圧部２３ｋは、搬送ユニット２５の各被押圧部２５ｄに当接し押圧する。この押圧状態では、押圧部２３ｋの押圧領域２３ｊと被押圧部２５ｄの円弧中央２５ｉとが当接する。そして、この押圧により、搬送ローラー１７ａと中間ローラー１７ｂとの間、レジストローラー１９ａとレジスト従動ローラー１９ｂとの間、及び、二次転写ローラー５３と駆動ローラー５２ａとの間において、ニップ領域が形成される。
【００５８】
また、この閉状態では、図８の一点鎖線の状態で示されるように、カバー２３の突起部２３ｉは、筐体３の穴部３０に挿入され、インターロックスイッチ２９を押圧してオン状態に切り替える。
【００５９】
また、この閉状態では、カバー２３は、係止部２３ｄを介して筐体３から引っ張られる引張力を受けると共に、押圧部２３ｋの押圧領域２３ｊを介して搬送ユニット２５から押される押力（即ち押圧部２３ｋが被押圧部２５ｄを押圧する力の反作用）を受ける。これら各力（引張力及び押力）は、カバー２３の内面２３ｂに対してほぼ垂直に作用する。これら各力の方向は、互いに平行逆向きである。
【００６０】
ところで、本実施形態では、押圧部２３ｋの押圧領域２３ｊは仮想直線Ｋ１と重なる。ここで、仮想直線Ｋ１は、上述の通り、近似的に各係止部２３ｄに作用する引張力の作用点を通る直線である。また、押圧領域２３ｊに作用する押力は、近似的に押圧領域２３ｊ内の所定位置に作用すると見なせる。また、本実施形態では、被押圧部２５ｄは半円形の板状に形成されるため、押圧領域２３ｊは比較的小さくなる。
【００６１】
このため、カバー２３の左右側から見た状態で、上述の各力（引張力及び押力）の作用線の間隔が十分に小さくなって、上述の各力による力のモーメントが十分小さくなり、この結果、カバー２３の歪みが抑制される。更に、押圧部２３ｋは、係止部２３ｄに近接して設けられるため、カバー２３の上端部側から見た状態でも、上述の各力の作用線の間隔は十分に小さくなって、上述の各力による力のモーメントは十分小さくなり、この結果、更にカバー２３の歪みが抑制される。
【００６２】
また、この閉状態では、カバー２３は、更に、突起部２３ｉを介してインターロックスイッチ２９から押される押力（即ち突起部２３ｉがインターロックスイッチ２９を押圧する力の反作用）を受ける。この押力（以後、第２の押力と記載する）も、カバー２３の内面２３ｂに対してほぼ垂直に作用し、上述の引張力と平行逆向きである。この第２の押力も、近似的に突起部２３ｉの占有領域内の所定位置に作用すると見なせる。ところで、突起部２３ｉは、仮想直線Ｋ１と重なり且つ係止部２３ｄに近接して設けられるため、上述同様、カバー２３の左右側及び上端側から見た状態で、カバー２３の歪みが抑制される。
【００６３】
以上、図面（図１〜図１２）を参照しながら本発明の実施形態を説明した。但し、本発明は、上記の実施形態に限られるものではなく、その要旨を逸脱しない範囲で種々の態様において実施することが可能である（例えば、下記に示す変形例１及び変形例２）。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６４】
＜変形例１＞
上記の実施形態では、押圧部２３ｋは、押圧領域２３ｊが仮想直線Ｋ１と重なるように配置されるが、変形例１では、押圧部２３ｋの押圧領域２３ｊの中心位置が仮想直線Ｋ１上に配置される。押圧領域２３ｊに作用する押力は、近似的に押圧領域２３ｊの中心位置に作用すると見なせる。これを踏まえると、変形例１では、カバー２３の左右側から見た状態で、上述の各力（引張力及び押力）の作用線の間隔はより一層小さくなるため、カバー２３の歪みはより一層抑制される。
【００６５】
変形例１は、押圧部２３ｋの押圧領域２３ｊが比較的大きい場合に有効である。押圧領域２３ｊが大きい場合は、押圧領域２３ｊが仮想直線Ｋ１と重なるだけでは、上述の各力の作用線の間隔が十分小さくならない場合があるからである。これに対し、上記の実施形態は、押圧領域２３ｊが比較的小さい場合に有効である。押圧領域２３ｊが比較的小さい場合は、押圧領域２３ｊが仮想直線Ｋ１と重なるだけで、上述の各力の作用線の間隔は十分小さくなるからである。
【００６６】
＜変形例２＞
上記の実施形態では、突起部２３ｉは仮想直線Ｋ１と重なるように配置されるが、変形例２では、突起部２３ｉの内面２３ｂでの占有領域の中心位置が仮想直線Ｋ１上に配置される。変形例２でも、カバー２３の左右側から見た状態で、上述の各力（引張力及び第２の押力）の作用線の間隔はより一層小さくなるため、カバー２３の歪みはより一層抑制される。この変形例２は、突起部２３ｉの内面２３ｂでの占有領域が比較的大きい場合に有効である。当該占有領域が比較的大きい場合は、当該占有領域が仮想直線Ｋ１と重なるだけでは、上述の各力の作用線の間隔が十分接近しない場合があるからである。これに対し、上記の実施形態は、当該占有領域が比較的小さい場合に有効である。当該占有領域が比較的小さい場合は、当該占有領域が仮想直線Ｋ１と重なるだけで、上述の各力の作用線の間隔は十分小さくなるからである。
【符号の説明】
【００６７】
３  筐体（装置本体）
２３  カバー
２３ｂ  内面
２３ｄ  係止部
２３ｉ  突起部
２３ｊ  押圧領域
２３ｋ  押圧部
２５  搬送ユニット
２９  インターロックスイッチ
Ｋ１  仮想直線
Ｌ１  用紙搬送路
Ｌ２  反転搬送路（用紙搬送路）
Ｐ  用紙
【図１】
0006311637.tif 000002
【図２】
0006311637.tif 000003
【図３】
0006311637.tif 000004
【図４】
0006311637.tif 000005
【図５】
0006311637.tif 000006
【図６】
0006311637.tif 000007
【図７】
0006311637.tif 000008
【図８】
0006311637.tif 000009
【図９】
0006311637.tif 000010
【図１０】
0006311637.tif 000011
【図１１】
0006311637.tif 000012
【図１２】
0006311637.tif 000013